(57)【要約】【課題】ジャックボタンスクリューの重量を軽くし、ウイッペンやジャックの押鍵操作に対する追従性を向上したグランドピアノのアクションを提供する。【解決手段】このジャックボタンスクリュー５０を備えるアクションは、グランドピアノのアクションであり、このジャックボタンスクリュー５０は、スクリュー５１とボタン５２とが樹脂で一体に形成されている。従来のアクションでは、スクリュー部分を金属で構成していたため重く、そのため、押鍵追従性が悪かったが、このアクションはスクリュー部分を樹脂で構成し軽いので、従来のアクションより押鍵追従性を向上することができる。【選択図】図２
2012073504.tif 000002
【特許請求の範囲】
【請求項１】
長手方向の一端を支点に鍵の動きに応じて遊端側が上下に回動するウイッペンと、
前記ウイッペンの遊端側に、揺動可能に支持されるジャックと、
前記ジャックよりも、前記ウイッペンの支点側の前記ウイッペン上から立設されたスプーンと、
前記ジャックに螺合可能なスクリュー部、該スクリュー部の先端に設けられたボタン部とを有し、前記スクリュー部の前記ジャックへの螺入量を可変することで、前記ボタン部を前記スプーンに対して進退させることが可能なジャックボタンスクリューと、
前記ジャックを付勢して前記ウイッペンの支点側に傾けることで、前記ボタン部を前記スプーンに当接させる付勢手段と
を備え、
前記ジャックボタンスクリューを前記スプーンに対し進退させることで、前記付勢手段により前記ウイッペンの支点側に傾いた前記ジャックの傾き量を調整するグランドピアノのアクションにおいて、
前記ジャックボタンスクリューは、
前記スクリューが樹脂又は木材で形成され、前記ボタンも樹脂又は木材で形成され、前記ボタンの前記スプーンに当接する側にはフェルトが取り付けられていることを特徴とするグランドピアノのアクション。
【請求項２】
請求項１に記載のグランドピアノのアクションにおいて、
前記ジャックボタンスクリューは、樹脂又は木材を用いて前記スクリューと前記ボタンとが一体に形成されていることを特徴とするグランドピアノのアクション。
【発明の詳細な説明】
【技術分野】
【０００１】
本発明は、グランドピアノのアクションに関する。
【背景技術】
【０００２】
従来、グランドピアノのアクション機構１００は、図３に示すように、押鍵すると、非演奏者側を支点に演奏者側が回転して持ち上がるウイッペン１０１を備えている。
そして、このウイッペン１０１には、長手方向の中央から支柱１０１ａが立設され、また、ウイッペン１０１の演奏者側の先端には、ジャック１０２が取り付けられ、さらに、支柱１０１ａとジャック１０２との間には、スプーン１０３が立設されている。
【０００３】
そして、支柱１０１ａには、ジャック１０２を非演奏者側に付勢するバネ１０１ｂが取り付けられている。
ジャック１０２は、略Ｌ字状に形成され、短い方の辺が演奏者側を向き、長い方の辺（以下「長辺１０２ａ」と呼ぶ）が上方を向くように、各辺の角部を支点に揺動可能にウイッペン１０１に取り付けられている。
【０００４】
また、ジャック１０２の長辺１０２ａの長手方向中央付近には、長辺１０２ａに略垂直にジャックボタンスクリュー１０４が設置されている。このジャックボタンスクリュー１０４は、ジャック１０２がバネ１０１ｂに付勢されて非演奏者側に傾くことによって、スプーン１０３の先端に当たるようにされている。
【０００５】
グランドピアノのアクション機構１００では、押鍵されるとウイッペン１０１が持ち上げられ、これにともないジャック１０２も持ち上げられ、ジャック１０２の昇降運動は、シャンクローラー１０５を介してハンマーシャンク１０６の回動運動に変換される。
【０００６】
その際、ジャック１０２がハンマーシャンク１０６を持ち上げる力をハンマーシャンク１０６に効率よく伝達するために、ジャック１０２の長方辺１０２ａの上端面上にシャンクローラー１０５が乗るようにジャックボタンスクリュー１０４をスプーン１０３に対して進退させて、ジャック１０２のウイッペン１０１に対する角度が調整されている。
【発明の概要】
【発明が解決しようとする課題】
【０００７】
しかし、上述したジャックボタンスクリュー１０４は、図４に示すように、金属材料で形成されたスクリュー１０４ａの先端に、スプーン１０３に当たる先端側にフェルト１０４ｃが備えられた樹脂または木材のボタン１０４ｂが螺合された構造となっていた。
【０００８】
つまり、従来のジャックボタンスクリュー１０４は、スクリュー１０４ａが金属で構成されているため重量が重くなってしまい、その結果、回動運動を行うウイッペンやジャックの押鍵操作に対する追従性が悪くなるという問題があった。
【０００９】
そこで、本発明は、ジャックボタンスクリューの重量を軽くし、ウイッペンやジャックの押鍵操作に対する追従性を向上したグランドピアノのアクションを提供することを目的とする。
【課題を解決するための手段】
【００１０】
上記目的を達成するためになされた発明である請求項１に記載のグランドピアノのアクションは、長手方向の一端を支点に鍵の動きに応じて遊端側が上下に回動するウイッペンと、前記ウイッペンの遊端側に、揺動可能に支持されるジャックと、前記ジャックよりも、前記ウイッペンの支点側の前記ウイッペン上から立設されたスプーンと、前記ジャックに螺合可能なスクリュー部、該スクリュー部の先端に設けられたボタン部とを有し、前記スクリュー部の前記ジャックへの螺入量を可変することで、前記ボタン部を前記スプーンに対して進退させることが可能なジャックボタンスクリューと、前記ジャックを付勢して前記ウイッペンの支点側に傾けることで、前記ボタン部を前記スプーンに当接させる付勢手段とを備え、前記ジャックボタンスクリューを前記スプーンに対し進退させることで、前記付勢手段により前記ウイッペンの支点側に傾いた前記ジャックの傾き量を調整するグランドピアノのアクションにおいて、前記ジャックボタンスクリューは、前記スクリューが樹脂又は木材で形成され、前記ボタンも樹脂又は木材で形成され、前記ボタンの前記スプーンに当接する側にはフェルトが取り付けられていることを特徴とする。
【００１１】
この請求項１に記載のアクションは、ジャックボタンスクリューを構成するスクリュー部分が樹脂又は木材で構成されているので、スクリュー部分を金属で構成したジャックボタンスクリューを用いる場合に比べて、アクションの重量が軽くなる。
【００１２】
とりわけ、ジャックボタンスクリューは、ウイッペンの支点から遠いところに設置されているので、重量を軽くすることで、押鍵によりウイッペンを回動する際の慣性質量を非常に軽くすることができる。
【００１３】
従って、この請求項１に記載のアクションを用いれば、従来のアクションに比べ、ウイッペンやジャックの押鍵操作に対する追従性を向上することができる。
次に、請求項２に記載したように、請求項１に記載のグランドピアノのアクションにおいて、ジャックボタンスクリューは、樹脂又は木材を用いてスクリューとボタンとが一体に形成されていることが好ましい。
【００１４】
スクリューとボタンとを一体に構成すると、それらを組み立てる工程が省略され、また、組立による精度的なバラツキを抑えることができるので、アクションの軽量化を図ることができるとともに、精度向上及び製造コストを低減することができる。
【図面の簡単な説明】
【００１５】
【図１】本実施形態のグランドピアノのアクションの正面図である。
【図２】ジャックボタンスクリューの正面図である。
【図３】従来のグランドピアノのアクションの正面図である。
【図４】従来のジャックボタンスクリューの正面図で、一部透過図で示している。
【発明を実施するための形態】
【００１６】
以下に、本発明の好適な実施形態を図面に基づいて説明する。
本実施形態のグランドピアノのアクション１は、図１に示すように、非演奏者側の端部がウイッペンレール１１から立ち上がったウイッペンフレンジ１２に揺動可能に支持されたウイッペン１０を備えている。
【００１７】
ウイッペン１０は、鍵９０が押鍵され、鍵９０が筬中９１を支点に揺動して、非演奏者側が持ち上げられると、鍵９０の非演奏者側に設けられたキャプスタンスクリュー９２によって持ち上げられて回動する。
【００１８】
このウイッペン１０の長手方向中央には、支柱１３が上方に向かって立設され、演奏者側の端部には、ジャック２０が揺動可能に取り付けられ、さらに、支柱１３とジャック２０とが取り付けられる部分の略中間付近からはスプーン１４が立設されている。
【００１９】
支柱１３の上端には、レピティションレバー３０が揺動可能に取り付けられ、このレピティションレバー３０の演奏者側の先端近傍には、ジャック２０の上端部が挿通可能な図示しない挿通孔が形成されている。
【００２０】
ジャック２０は、略Ｌ字状に形成され、長い方の辺２１（長辺２１）と、短い方の辺２２（短辺２２）との角部を支点に揺動するようウイッペン１０に取り付けられている。
このとき、ジャック２０は、長辺２１がウイッペン１０から上方に向かい、短辺２２が演奏者側に向かうように、ウイッペン１０に取り付けられる。
【００２１】
また、アクション１は、支柱１３を支点に、レピティションレバー３０の演奏者側を上方に向かって付勢するとともに、ジャック２０を非演奏者側に向かって付勢するバネ４０を備えている。
【００２２】
また、ジャック２０の長辺２１には、この長辺２１に垂直に螺合されたジャックボタンスクリュー５０を備えている。
このジャックボタンスクリュー５０は、バネ４０の付勢力によってジャック２０が非演奏者側に傾いているため、先端がスプーン１４の上端に当接している。
【００２３】
そのため、このジャックボタンスクリュー５０をジャック２０に対して進退させることによって、スプーン１４に対して進退させると、ジャック２０のウイッペン１０に対する傾斜角度を調整することができる。そして、このようにすることでジャック２０の長辺２１の上端面上に、後述するシャンクローラ７１が乗るように調整することができる。
【００２４】
また、このジャックボタンスクリュー５０は、図２に示すように、スクリュー５１と、このスクリュー５１の先端に設けられたボタン５２とが樹脂で一体に形成されており、ボタン５２の先端にフェルト５３が設けられ、このフェルト５３がスプーン１４（図１参照）に当接するよう、ジャック２０の長辺２１に螺入されている。
【００２５】
アクション１は、図１に示すように、ハンマーシャンクレール６０から下方に向かって立設され、ジャック２０の短辺２２の演奏者側の先端の上方に配置されたレギュレーティングボタン６１を備えている。
【００２６】
また、アクション１は、ハンマーシャンクレール６０の非演奏者側に揺動可能に取り付けられたハンマー７０を備えている。
ハンマー７０は、ハンマーシャンクレール６０に回動可能に取り付けられる支点近傍の下部にシャンクローラ７１を備えていて、非押鍵時には、ジャック２０の長辺２１の上端面上にシャンクローラ７１が乗るようにしてハンマー７０を支持している。
【００２７】
上記のように構成されたアクション１では、押鍵されると、ウイッペン１０の演奏者側が上方に向かって回動し、この回動に伴ってジャック２０、さらには、このジャック２０に押されてハンマー７０もハンマーシャンクレール６０を支点に回動する。
【００２８】
そして、ジャック２０の短辺２２の先端がレギュレーティングボタン６１に当接すると、ジャック２０の長辺２１の先端が演奏者側に移動するようジャック２０が回動して（図１では時計回り）、ジャック２０の長辺２１の先端がシャンクローラ７１からはずれる。
【００２９】
その後ハンマー７０は、さらに上昇を続けて打弦をした後に下方に移動し、シャンクローラ７１がレピティションレバー３０上に乗り、ジャック２０の短辺２２の先端がレギュレーティングボタン６１から離れると、ジャック２０がバネ４０によって非演奏者側に付勢され、ジャック２０の長辺２１の上端面上に再びシャンクローラ７１が乗る。
【００３０】
以上説明したアクション１は、ジャックボタンスクリュー５０を構成するスクリュー５１が樹脂で構成されているので、金属で構成されているジャックボタンスクリューを用いる場合に比べて、アクション１の重量を軽くすることができる。
【００３１】
とりわけ、ジャックボタンスクリュー５０は、ウイッペン１０の支点から遠いところに設置されているので、重量を軽くすることで、押鍵によりウイッペン１０を回動する際の慣性質量を非常に軽くすることができる。
【００３２】
従って、本実施形態のアクション１を用いれば、従来のアクションに比べ、ウイッペンやジャックの押鍵操作に対する追従性を向上することができる。
さらに、本実施形態のアクション１を用いれば、ジャックボタンスクリュー５０のスクリュー５１とボタン５２とを一体に構成しているため、それらを組み立てる工程が省略され、また、組立による精度的なバラツキを抑えることができるので、アクションの軽量化を図ることができるとともに、精度向上及び製造コストを低減することができる。
（その他の実施形態）
上記実施形態では、ジャックボタンスクリュー５０のスクリュー５１とボタン５２とを樹脂で一体に形成したが、木材で一体に形成してもよい。
【符号の説明】
【００３３】
１…アクション、１０…ウイッペン、１１…ウイッペンレール、１２…ウイッペンフレンジ、１３…支柱、１４…スプーン、２０…ジャック、２１…長辺、２２…短辺、３０…レピティションレバー、４０…バネ、５０…ジャックボタンスクリュー、５１…スクリュー、５２…ボタン、５３…フェルト、６０…ハンマーシャンクレール、６１…レギュレーティングボタン、７０…ハンマー、７１…シャンクローラ、９０…鍵、９１…筬中、９２…キャプスタンスクリュー。
【図１】
2012073504.tif 000003
【図２】
2012073504.tif 000004
【図３】
2012073504.tif 000005
【図４】
2012073504.tif 000006